(57)【特許請求の範囲】
【請求項１】
システム全体を制御する命令または電力節減命令を出力する中央処理装置と、
前記中央処理装置からの命令と入力電圧に応じて、所定の出力電圧またはセグメント出力信号およびコモン出力信号を出力する液晶ドライバー／コントローラと、
前記液晶ドライバー／コントローラの出力電圧を入力して分圧された分圧電圧を液晶ドライバー／コントローラに出力する抵抗分圧回路と、
前記液晶ドライバー／コントローラより入力したコモン出力信号とセグメント出力信号により液晶表示を行う液晶表示パネルとを有し、
前記液晶ドライバー／コントローラは、前記中央処理装置から電力節減信号を入力すると、前記抵抗分圧回路に電力節減した出力電圧を出力するとともに、前記コモン出力信号とセグメント出力信号の値を直流電圧に固定する電力節減機能を備えた液晶表示装置において、
前記液晶ドライバー／コントローラは、
前記中央処理装置からの命令を入力して制御信号を出力する制御回路と、
液晶表示を行うための出力電圧を出力するとともに、前記電力節減信号を入力すると電力節減した出力電圧を出力する昇圧回路と、
前記制御回路の制御信号と抵抗分圧回路の出力電圧を入力して液晶表示を行うためのセグメント出力信号を出力するとともに、電力節減時には電力節減したセグメント出力信号を出力するカラムドライバーと、
前記制御回路の制御信号と抵抗分圧回路の出力電圧を入力して液晶表示を行うためのコモン出力信号を出力するとともに、電力節減時には電力節減したコモン出力信号を出力するロードライバーとを有し、
前記カラムドライバーは、
第１入力データと電力節減信号を入力し否定論理和して出力する第１否定論理和回路と、
クロック端にクロックを入力し、入力端に前記第１否定論理和回路の出力の反転出力を入力して正の出力端に出力するフリップフロップと、
前記フリップフロップの出力を入力して正の出力端と負の出力端に出力する第１レベルセレクタと、
ゲートが前記第１レベルセレクタの負の出力端の出力を入力し、ドレインが第１基準電圧を入力する第１ＰＭＯＳトランジスタと、
ゲートが前記第１レベルセレクタの正の出力端の出力を入力し、ソースが第１基準電圧を入力する第１ＮＭＯＳトランジスタと、
ゲートが前記第１レベルセレクタの正の出力端の出力を入力し、ドレインが第２基準電圧を入力する第２ＰＭＯＳトランジスタと、
ソースが前記第２基準電圧を入力し、ゲートが前記第１レベルセレクタの負の出力端の出力を入力する第２ＮＭＯＳトランジスタとを有し、
前記第１，第２ＰＭＯＳトランジスタのソース、第１，第２ＮＭＯＳトランジスタのドレインがセグメント出力と接続されることを特徴とする電力節減機能を備えた液晶表示装置。
【請求項２】
請求項１に記載の液晶表示装置において、前記ロードライバーは、
第２入力データと電力節減信号とを入力し、これらの否定論理和を出力する第２否定論理和回路と、
前記第２否定論理和回路の出力の反転出力を入力端に入力して正の出力端と負の出力端に出力する第２レベルセレクタと、
ゲートが前記第２レベルセレクタの負の出力端の出力を入力し、ドレインが第３基準電圧を入力する第３ＰＭＯＳトランジスタと、
ゲートが前記第２レベルセレクタの正の出力端の出力を入力し、ソースが前記第３基準電圧を入力する第３ＮＭＯＳトランジスタと、
ゲートが前記第２レベルセレクタの正の出力端の出力を入力し、ドレインが第４基準電圧を入力する第４ＰＭＯＳトランジスタと、
ソースが前記第４基準電圧を入力し、ゲートが前記第２レベルセレクタの負の出力端の出力を入力する第４ＮＭＯＳトランジスタとを有し、
前記第３，第４ＰＭＯＳトランジスタのソース、第３，第４ＮＭＯＳトランジスタのドレインがコモン出力に接続されることを特徴とする電力節減機能を備えた液晶表示装置。
【発明の詳細な説明】
【０００１】
【発明の属する技術分野】
本発明は液晶表示装置、より具体的には電力消費を低減する機能を備えた液晶表示装置に関する。
【０００２】
【従来の技術】
以下、添付図面を参照して従来の液晶表示装置について説明する。
図１は文字表示用液晶表示装置の機能ブロック図であり、図２（Ａ）は従来の液晶ドライバーから出力されるコモン出力の電圧波形図であり、図２（Ｂ）は従来の液晶ドライバーから出力されるセグメント出力の電圧波形図である。なお、従来技術と本発明の実施の形態において、いずれも機能ブロックは同じになるが、各構成要素の機能がそれぞれ異なるので、図１の括弧で囲んだ符号（１１０〜１６０，１８０，Ｘ１１〜Ｘ１５）を従来技術として、括弧で囲まない符号（１０〜６０，８０，Ｘ１〜Ｘ５）を本実施の形態として本明細書ではそれぞれ用いる。
【０００３】
図１に示すように、文字表示用液晶表示装置は、中央処理部１１０、液晶ドライバー／コントローラ１２０、抵抗分圧回路１８０および文字表示を行なう液晶パネル１７０により構成されている。中央処理装置１１０は、マイクロプロセッサを内蔵し、システム全体を制御する命令を出力する制御回路である。
【０００４】
液晶ドライバー／コントローラ１２０は、中央処理部１１０の命令と入力電圧ＶINに従い抵抗分圧回路１８０に出力電圧ＶOUT を出力するとともに、液晶パネル１７０に表示するためのセグメント出力信号Ｘ１４とコモン出力信号Ｘ１５を出力する。
【０００５】
抵抗分圧回路１８０は、液晶ドライバー／コントローラ１２０の出力電圧ＶＯＵＴを入力して分圧した分圧電圧Ｖ０、Ｖ１、Ｖ２、Ｖ３、Ｖ４、Ｖ５を液晶ドライバー／コントローラ１２０に出力する。液晶パネル１７０は、セグメント出力信号Ｘ１４とコモン出力信号Ｘ１５を入力し、液晶に所定の文字表示を行うディスプレイである。
【０００６】
さらに、液晶ドライバー／コントローラ１２０は、制御回路１３０、昇圧回路１４０、カラムドライバー１５０およびロードライバー１６０により構成されている。制御回路１３０は、液晶ドライバー／コントローラ１２０を制御するため、中央処理部１１０から命令を入力して制御信号Ｘ１１、Ｘ１２、Ｘ１３を出力する。昇圧回路１４０は、入力電圧ＶINと制御信号Ｘ１１を入力して出力電圧ＶOUT を出力する。
【０００７】
カラムドライバー１５０は、制御回路１３０の制御信号Ｘ１３と抵抗分圧回路１８０の出力電圧を入力してセグメント出力信号Ｘ１４を出力する。ロードライバー１６０は、制御回路１３０の制御信号Ｘ１２と抵抗分圧回路１８０の出力電圧とを入力してコモン出力信号Ｘ１５を出力する。
【０００８】
次に、図１に示した構成による従来の文字表示用液晶表示装置の動作について説明する。
液晶ドライバー／コントローラ１２０が中央処理部１１０の命令に従い液晶パネル１７０を表示するための出力を出すためには、液晶ドライバー／コントローラ１２０を制御するための制御回路１３０から制御信号Ｘ１１、Ｘ１２およびＸ１３を出力する。そして、昇圧回路１４０は入力電圧ＶINと制御信号Ｘ１１を入力して出力電圧ＶOUT を出力し、抵抗分圧回路１８０は昇圧回路１４０の出力電圧ＶOUT を入力して分圧した分圧電圧Ｖ０、Ｖ１、Ｖ２、Ｖ３、Ｖ４、Ｖ５を出力する。
【０００９】
カラムドライバー１５０は制御回路１３０の制御信号Ｘ１３と抵抗分圧回路１８０の出力電圧を入力してセグメント出力信号Ｘ１４を出力する。ロードライバー１６０が制御回路１３０の制御信号Ｘ１２と抵抗分圧回路１８０の出力電圧とを入力してコモン出力信号Ｘ１５を出力すると、液晶パネル１７０はコモン出力信号Ｘ１５とセグメント出力信号Ｘ１４を入力して液晶表示を行う。
【００１０】
その後、図２のように、コモン出力は抵抗分圧回路の出力電圧であるＶ０、Ｖ１、Ｖ４、Ｖ５のうちから電圧を選択して出力し、セグメント出力はＶ０、Ｖ２、Ｖ３、Ｖ５の中から選択して出力する。このとき、電圧の大きさはＶ０＞Ｖ１＞Ｖ２＞Ｖ３＞Ｖ４＞Ｖ５である。
【００１１】
【発明が解決しようとする課題】
この種の液晶表示装置は、その用途が例えば携帯用電話機などに使用された場合、電源として主に乾電池が用いられる。このような電源を用いた場合には、消費電流の特性が非常に重要な要素になる。しかしながら、現在の文字表示用液晶表示装置は、図１に示すように昇圧回路（ＤＣ−ＤＣ Converter）を内蔵しているので、液晶画面に文字や図形を表示していないとき、すなわちアイドル状態であるディスプレーオフのときでも抵抗分圧回路１８０の出力電流（Ｖ０、Ｖ１、Ｖ２、Ｖ３、Ｖ４、Ｖ５）は依然として出力される。したがって、液晶パネル１７０には液晶ドライバー／コントローラ１２０の集積回路から駆動信号が図２のように印加され続け、装置全体の消費電力がディスプレーオン時に比べてあまり減少しないという問題点があった。
【００１２】
本発明はこのような従来技術の課題を解決し、システムがアイドル状態にあるときには消費電力を減少させることを可能とする電力節減機能を備えた液晶表示装置を提供することを目的とする。
【００１３】
【課題を解決するための手段】
上述した課題を達成するために本発明によれば、システム全体を制御する命令または電力節減命令を出力する中央処理装置と、中央処理装置からの命令と入力電圧に応じて、所定の出力電圧またはセグメント出力信号およびコモン出力信号を出力する液晶ドライバー／コントローラと、液晶ドライバー／コントローラの出力電圧を入力して分圧された分圧電圧を液晶ドライバー／コントローラに出力する抵抗分圧回路と、液晶ドライバー／コントローラより入力したコモン出力信号とセグメント出力信号により液晶表示を行う液晶表示パネルとを有する。そして、液晶ドライバー／コントローラは、中央処理装置から電力節減信号を入力すると、抵抗分圧回路に電力節減した出力電圧を出力するとともに、コモン出力信号とセグメント出力信号の値を直流電圧に固定する。
【００１４】
さらに、本発明の液晶ドライバー／コントローラは、中央処理装置からの命令を入力して制御信号を出力する制御回路と、液晶表示を行うための出力電圧を出力するとともに電力節減信号を入力すると電力節減した出力電圧を出力する昇圧回路と、制御回路の制御信号と抵抗分圧回路の出力電圧を入力して液晶表示を行うためのセグメント出力信号を出力するとともに電力節減時には電力節減したセグメント出力信号を出力するカラムドライバーと、制御回路の制御信号と抵抗分圧回路の出力電圧を入力して液晶表示を行うためのコモン出力信号を出力するとともに電力節減時には電力節減したコモン出力信号を出力するロードライバーとを有する。
【００１６】
さらに、本発明の電力節減機能が結合されたカラムドライバーは、第１入力データと電力節減信号を入力し否定論理和して出力する第１否定論理和回路と、クロック端にクロックを入力して入力端に第１否定論理和回路の出力の反転出力を入力して正の出力端に出力するフリップフロップと、フリップフロップの出力を入力して正の出力端と負の出力端に出力する第１レベルセレクタと、ゲートが第１レベルセレクタの負の出力端の出力を入力してドレインが第１基準電圧を入力する第１ＰＭＯＳトランジスタと、ゲートが第１レベルセレクタの正の出力端の出力を入力してドレインが第１基準電圧を入力する第１ＮＭＯＳトランジスタと、ゲートが第１レベルセレクタの正の出力端の出力を入力してドレインが第２基準電圧を入力する第２ＰＭＯＳトランジスタと、ソースが第２基準電圧を入力してゲートが第１レベルセレクタの負の出力端の出力を入力する第２ＮＭＯＳトランジスタとを有する。そして、第１，第２ＰＭＯＳトランジスタのソース、第１，第２ＮＭＯＳトランジスタのドレインがセグメント出力と接続される。
【００１７】
さらに、本発明の電力節減機能が結合されたロードライバーは、第２入力データと電力節減信号とを入力してこれらの否定論理和を出力する第２否定論理和回路と、第２否定論理和回路の出力の反転出力を入力端に入力して正の出力端と負の出力端に出力する第２レベルセレクタと、ゲートが第２レベルセレクタの負の出力端の出力を入力してドレインが第３基準電圧を入力する第３ＰＭＯＳトランジスタと、ゲートが第２レベルセレクタの正の出力端の出力を入力してドレインが第３基準電圧を入力する第３ＮＭＯＳトランジスタと、ゲートが第２レベルセレクタの正の出力端の出力を入力してドレインが第４基準電圧を入力する第４ＰＭＯＳトランジスタと、ソースが第４基準電圧を入力してゲートが第２レベルセレクタの負の出力端の出力を入力する第４ＮＭＯＳトランジスタとを有する。そして、第３，第４ＰＭＯＳトランジスタのソース、第３，第４ＮＭＯＳトランジスタのドレインがコモン出力に接続される。
【００１８】
【発明の実施の形態】
次に添付図面を参照して本発明における電力節減機能を備えた液晶表示装置の実施の形態を詳細に説明する。
図１は本発明による電力節減機能を備えた液晶表示装置の実施の形態を示す機能ブロック図である。図１に示すように、本実施の形態による液晶表示装置は、中央処理部１０、液晶ドライバー／コントローラ２０、抵抗分圧回路８０および液晶パネル７０により構成されている。
【００１９】
中央処理部１０は、マイクロプロセッサを内蔵したシステム全体を制御する制御装置であり、各種の制御命令および電力節減信号ＰＤＬを出力する機能を備えている。
【００２０】
液晶ドライバー／コントローラ２０は、中央処理部１０の命令と入力電圧ＶINに従い抵抗分圧回路８０に出力電圧ＶOUT を出力するとともに、液晶パネル７０に表示を行うためのセグメント出力信号Ｘ４とコモン出力信号Ｘ５を出力する。液晶ドライバー／コントローラ２０はまた、中央処理部１０から電力節減信号ＰＤＬを受信すると、抵抗分圧回路８０に電力節減された出力電圧ＶOUT を出力し、電力節減されたセグメント出力信号Ｘ４とコモン出力信号Ｘ５を出力する機能を備えている。
【００２１】
抵抗分圧回路８０は、液晶ドライバー／コントローラ２０の出力電圧ＶOUT または電力節減した出力電圧ＶOUT を入力し、これら出力電圧ＶOUT に応じて分圧された分圧電圧Ｖ０、Ｖ１、Ｖ２、Ｖ３、Ｖ４、Ｖ５を液晶ドライバー／コントローラ２０に出力する。
【００２２】
液晶パネル７０は、電力を節減するか否かのセグメント出力信号Ｘ４とコモン出力信号Ｘ５とを受信し、これら出力信号に応じて液晶の文字表示等を行うディスプレイである。
【００２３】
液晶ドライバー／コントローラ２０は、制御回路３０、昇圧回路４０、カラムドライバー５０およびロードライバー６０により構成されている。
制御回路３０は、中央処理部１０からの命令を受信し、制御信号Ｘ１、Ｘ２、Ｘ３を出力することにより、液晶ドライバー／コントローラ２０を制御する制御回路である。
【００２４】
昇圧回路４０は、入力電圧ＶIN、制御信号Ｘ１を受信して出力電圧ＶOUT を抵抗分圧回路８０に出力する機能を備えている。昇圧回路４０はまた、電力節減信号ＰＤＬを入力すると、電力節減された出力電圧ＶOUT を抵抗分圧回路８０に出力する電力節減機能とを備えている。
【００２５】
カラムドライバー５０は、制御回路３０の制御信号Ｘ３と抵抗分圧回路８０の出力電圧とを入力してセグメント出力信号Ｘ４を液晶パネル７０に出力する機能を備えている。カラムドライバー５０はまた、電力節減信号ＰＤＬの反転信号である電力節減信号ＰＤＦを入力すると、電力節減されるセグメント出力信号Ｘ４を液晶パネル７０に出力する電力節減機能を備えている。
【００２６】
ロードライバー６０は、制御回路３０の制御信号Ｘ２と抵抗分圧回路８０の出力電圧を入力してコモン出力信号Ｘ５を液晶パネル７０に出力する機能を備えている。ロードライバー６０はまた、電力節減信号ＰＤＦを入力すると、カラムドライバー５０と同様に電力節減されるコモン出力信号Ｘ５を液晶パネル７０に出力する機能を備えている。
【００２７】
図３は図１に示した昇圧回路４０の構成図である。図３に示すように昇圧回路４０は、クロック信号発生器４１、電圧変換器４２およびダイオードＤ１とコンデンサＣ１により構成されている。
クロック信号発生器４１は、昇圧信号ＶＣＯＮを受信すると昇圧電圧を発生するための充電／昇圧用クロック信号を発生し、電力節減信号ＰＤＬを受信すると充電／昇圧用クロック信号を発生しない。
電圧変換器４２は、外部から入力電圧ＶＩＮと、充電／昇圧用クロック信号発生器４１からクロック信号ＣＫ１〜ＣＫ６をそれぞれ入力し、これらを電圧に変換して抵抗分圧回路８０に出力する。
【００２８】
図４は図１に示した制御回路３０の構成図である。図４に示すように制御回路３０は、レベルセレクタ３１と選択電流制御回路３２を備えている。制御回路３０は、電力節減信号ＰＤＬと液晶駆動出力信号である交流化信号Ｍにより、カラムドライバー５０とロードライバー６０の入力信号となる第１基準電圧Ｖ５Ｖ０、第２基準電圧Ｖ３Ｖ２、第３基準電圧Ｖ０Ｖ５および第４基準電圧Ｖ４Ｖ１を出力する。
【００２９】
図５は図１に示したカラムドライバー５０の構成図である。図５に示すようにカラムドライバー５０は、第１否定論理和回路ＮＯＲ１、フリップフロップ５１、レベルセレクタ５２、第１ＰＭＯＳトランジスタＭＰ１、第１ＮＭＯＳトランジスタＭＮ１、第２ＰＭＯＳトランジスタＭＰ２および第２ＮＭＯＳトランジスタＭＮ２により構成されている。
【００３０】
第１否定論理和回路ＮＯＲ１は、第１入力データＤＡＴＡ１と電力節減信号ＰＤＦを入力し、これら入力の否定論理和演算を行い、その結果を出力する。フリップフロップ５１は、クロック端ＣにクロックＣＬＫ１を入力し、入力端Ｄに第１否定論理和回路ＮＯＲ１の出力結果の反転出力を入力し、その結果を正の出力端Ｑに出力する。
【００３１】
レベルセレクタ５２は、フリップフロップ５１の出力信号を入力し、その結果を正の出力端Ｏと負の出力端ＯＢにそれぞれ出力する。第１ＰＭＯＳトランジスタＭＰ１は、レベルセレクタ５２の負の出力端ＯＢの出力をゲートに入力し、第１基準電圧Ｖ５Ｖ０をドレインに入力する。第１ＮＭＯＳトランジスタＭＮ１は、レベルセレクタ５２の正の出力端Ｏの出力をゲートに入力し、第１基準電圧Ｖ５Ｖ０をソースに入力する。
【００３２】
第２ＰＭＯＳトランジスタＭＰ２は、レベルセレクタ５２の正の出力端Ｏの出力をゲートに入力し、第２基準電圧Ｖ３Ｖ２をドレインに入力する。第２ＮＭＯＳトランジスタＭＮ２は、第２基準電圧Ｖ３Ｖ２をソースに入力し、レベルセレクタ５２の負の出力端ＯＢの出力をゲートに入力する。第１，第２ＰＭＯＳトランジスタＭＰ１，ＭＰ２のソースと、第１，第２ＮＭＯＳトランジスタＭＮ１，ＭＮ２のドレインとは、セグメント出力Ｘ４に接続されている。
【００３３】
図６は図１に示したロードライバー６０の構成図である。図６に示すようにロードライバー６０は、第２否定論理和回路ＮＯＲ２、第２レベルセレクタ６１、第３ＰＭＯＳトランジスタＭＰ３、第３ＮＭＯＳトランジスタＭＮ３、第４ＰＭＯＳトランジスタＭＰ４および第４ＮＭＯＳトランジスタＭＮ４により構成されている。
【００３４】
第２否定論理和回路ＮＯＲ２は、第２入力データＤＡＴＡ２と反転された電力節減信号ＰＤＦを受信し否定論理和して出力する。第２レベルセレクタ６１は、第２否定論理和回路ＮＯＲ２の出力の反転出力を入力端Ｉに入力し、その結果を正の出力端Ｏと負の出力端ＯＢに出力する。第３ＰＭＯＳトランジスタＭＰ３は、第２レベルセレクタ６１の負の出力端Ｏの出力をゲートに入力し、第３基準電圧Ｖ０Ｖ５をドレインに入力する。第３ＮＭＯＳトランジスタＭＮ３は、第２レベルセレクタ６１の正の出力端Ｏの出力をゲートに入力し、第３基準電圧Ｖ０Ｖ５をソースに入力する。
【００３５】
第４ＰＭＯＳトランジスタＭＰ４は、第２レベルセレクタ６１の正の出力端Ｏの出力をゲートに入力し、第４基準電圧Ｖ４Ｖ１をドレインに入力する。第４ＮＭＯＳトランジスタＭＮ４は、第４基準電圧Ｖ４Ｖ１をソースに入力し、第２レベルセレクタ６１の負の出力端ＯＢの出力をゲートに入力する。第３，第４ＰＭＯＳトランジスタＭＰ３，ＭＰ４のソース、第３，第４ＮＭＯＳトランジスタＭＮ３，ＭＮ４のドレインはコモン出力Ｘ５にそれぞれ接続されている。
【００３６】
次に、本発明による電力節減機能を備えた液晶表示装置の実施の形態の動作例を説明する。なお、ここで説明する動作例は本発明の実施の形態の一例を説明するものであって、特に本発明の動作がこれに限定されるものではない。
【００３７】
本実施の形態の液晶表示装置が搭載されたシステムがアイドル状態になると、中央処理装置１０から液晶パネル７０の表示をオフして消費電流を少なくする電力節減機能を行なえという命令が液晶ドライバー／コントローラ２０に出力される。液晶ドライバー／コントローラ２０は、電力節減機能の実行命令を入力すると、ドライバー集積回路である液晶ドライバー／コントローラ２０内に内蔵している昇圧回路４０の昇圧電圧を発生させるに必要な充電／昇圧用クロック信号をリセットして昇圧回路４０をディスエネーブルにする。
【００３８】
昇圧回路４０の出力電圧は正常の動作時の２倍昇圧である場合を−ＶＣＩ、３倍昇圧である場合を−２ＶＣＩとすれば、昇圧回路４０が電力節減信号を受信すると接地電力ＶSSレベルに変化して電流を減少させる。図３は昇圧回路４０を３倍昇圧回路とした場合の電力節減機能の機能ブロックである。
【００３９】
図３に示す実施の形態では、電力節減機能を実行する場合、電力節減信号ＰＤＬをロー論理値に設定し、充電／昇圧用クロック信号発生器４１から充電／昇圧用クロック信号ＣＫ１、ＣＫ２、ＣＫ３、ＣＫ４、ＣＫ５、ＣＫ６をリセットする。これにより、３倍昇圧回路の出力電圧ＶOUT を第１ダイオードＤ１によりほぼ接地電圧＋０．７Ｖに保持させることができる。
【００４０】
図７、８は、図３の構成をより具体的に示した回路図である。図３に示した昇圧回路４０では、電力節減信号ＰＤＬを受信することにより多数のフリップフロップがリセットされ、クロック信号ＣＫを発生しない状態になって、出力信号ＶＯＵＴが第１キャパシタＣ１の放電により設置電圧ＶＳＳと第１ダイオードＤ１の電圧である０．７Ｖの和になる。したがって、図１の電流ＩＲは、抵抗分圧回路８０の総抵抗値をＲＴＯＴＡＬとすると、｛ＶＤＤ＋（２ＶＣＩ）｝／ＲＴＯＴＡＬから｛ＶＤＤ−（ＶＳＳ＋０．７Ｖ）｝／ＲＴＯＴＡＬに減少することになる。
【００４１】
これにより、図５や図６に示す液晶駆動ドライバーであるカラムドライバー５０やロードライバー６０は、電力節減機能の実行の際、電力節減信号ＰＤＦがハイ論理値になるので、データがリセットされる。すなわち、このときの制御回路３０は、図４に示す液晶駆動出力信号である交流化信号Ｍを制御し、カラムドライバー５０とロードライバー６０が自身のデータおよび交流化信号Ｍの位相に関係なしに常にＶ０（ＶＤＤレベル）を出力するよう制御する。
【００４２】
これにより、選択電流制御回路３２より出力される電圧Ｖ４Ｖ１，Ｖ３Ｖ２は、図２に示すようにＶ１、Ｖ４またはＶ２、Ｖ３に保持していた電圧に固定されるので、電圧降下による電力消費が減少して消費電流ＩＤＤを少なくすることができる。図５および図６において、反転された電力節減信号ＰＤＦを受信すると、フリップフロップ５１の出力がクロックに同期してハイ論理値になり、第１基準電圧Ｖ５Ｖ０だけを受信するので、図２のドライバーの出力がＶ０になる。
【００４３】
図４は交流化制御回路３０の構成図であり、図９、１０は図４の具体的な回路図である。制御回路３０は、電力節減信号ＰＤＬを入力し、交流化信号Ｍを入力すると、液晶駆動ドライバーであるカラムドライバー５０とロードライバー６０の入力となる第１基準電圧Ｖ５Ｖ０、第２基準電圧Ｖ３Ｖ２、第３基準電圧Ｖ０Ｖ５、第４基準電圧Ｖ４Ｖ１を出力することを示している。
レベルセレクタ３１は一定のレベル以上になると正の出力端Ｏにハイ論理値を出力し、負の出力端ＯＢにロー論理値を出力する。また、一定のレベル以下である入力に対しては正の出力端Ｏがロー論理値になり、負の出力端ＯＢがハイ論理値になる。
【００４４】
レベルセレクタ３１は一定のレベル以上になると正の出力端Ｏにハイ論理値を出力し、負の出力端ＯＢにロー論理値を出力する。また、一定のレベル以下である入力に対しては正の出力端Ｏがロー論理値になり、負の出力端ＯＢがハイ論理値になる。
【００４５】
以上、詳細に説明したように本実施の形態によれば、システムがアイドル状態にあるとき中央処理部１０から電力節減機能の入力信号ＰＤＬを受信して液晶駆動ドライバー／コントローラ集積回路２０内の昇圧回路４０をディスエネーブルして抵抗分圧回路８０の出力電流ＩR を減少させ、ドライバー５０，６０の液晶駆動出力信号であるコモン出力とセグメント出力を直流に固定させて全体の消費電流を減少させることにより、効果的な節電を行うことを可能とした。
【００４６】
【発明の効果】
以上、詳細に説明したように本発明によれば、液晶システムがアイドル状態にあるとき、中央処理部から電力節減機能の入力信号を受信して液晶駆動ドライバー／コントローラ集積回路内の昇圧回路をディスエネーブルさせて抵抗分圧回路の出力電流を減少させるとともに、ドライバーの液晶駆動出力信号であるコモン出力とセグメント出力を直流に固定することでシステム全体の消費電流を節減することが可能となる。
【図面の簡単な説明】
【図１】液晶表示装置の機能ブロック図。
【図２】液晶ドライバーから出力されるコモン出力の電圧波形図（Ａ）とセグメント出力の電圧波形図（Ｂ）。
【図３】本発明の実施の形態における電力節減機能を有する液晶表示装置の昇圧回路の構成図。
【図４】本発明の実施の形態における電力節減機能を有する液晶表示装置の交流化信号制御回路の構成図。
【図５】本発明の実施の形態における電力節減機能を有する液晶表示装置のカラムドライバーの回路図。
【図６】本発明の実施の形態における電力節減機能を有する液晶表示装置のロードライバーの回路図。
【図７】本発明の実施の形態における電力節減機能を有する液晶表示装置の昇圧回路の回路図。
【図８】本発明の実施の形態における電力節減機能を有する液晶表示装置の昇圧回路の回路図。
【図９】本発明の実施の形態における電力節減機能を有する液晶表示装置の交流化信号制御回路の回路図。
【図１０】本発明の実施の形態における電力節減機能を有する液晶表示装置の交流化信号制御回路の回路図。
【符号の説明】
１０    中央処理装置
２０    液晶ドライバー／コントローラ
３０    制御回路
４０    昇圧回路
５０    カラムドライバー
６０    ロードライバー
７０    液晶パネル
８０    抵抗分圧回路
【図１】
0003861936.tif 000002
【図２】
0003861936.tif 000003
【図３】
0003861936.tif 000004
【図４】
0003861936.tif 000005
【図５】
0003861936.tif 000006
【図６】
0003861936.tif 000007
【図７】
0003861936.tif 000008
【図８】
0003861936.tif 000009
【図９】
0003861936.tif 000010
【図１０】
0003861936.tif 000011